(57)【特許請求の範囲】
【請求項１】
建物の屋根に設ける複数の内樋部材を繋いで成る内樋の防水構造であって、
前記複数の内樋部材は容器状の内樋部材本体と取付板とを有し、該取付板により屋根下地材に取り付けられており、
隣り合う前記内樋部材の端部間は、前記内樋部材本体の端面板同士を上から覆う繋ぎ部材本体と、前記取付板同士を上から覆う繋ぎ取付板とが一体化された繋ぎ部材によって上から覆われているとともに、固定手段により固定され、繋がれており、
前記内樋部材の前記内樋部材本体の前記端面板の上縁部には、該内樋部材本体の内側方向に略水平に延設された取付片が形成されており、該取付片と前記繋ぎ部材の繋ぎ部材本体との間が、前記固定手段により固定されており、
前記内樋部材の前記取付片と、前記繋ぎ部材の前記繋ぎ部材本体との間には、防水材が介装されているとともに、
前記固定手段としてリベットが用いられ、前記内樋部材の前記取付片と、前記繋ぎ部材の前記繋ぎ部材本体とは、前記防水材の近傍で、前記リベットにより固定されていることを特徴とする内樋の防水構造。
【請求項２】
建物の屋根に設ける複数の内樋部材を繋いで成る内樋の防水構造であって、
前記複数の内樋部材は容器状の内樋部材本体と取付板とを有し、該取付板により屋根下地材に取り付けられており、
隣り合う前記内樋部材の端部間は、前記内樋部材本体の端面板同士を上から覆う繋ぎ部材本体と、前記取付板同士を上から覆う繋ぎ取付板とが一体化された繋ぎ部材によって上から覆われているとともに、固定手段により固定され、繋がれており、
前記内樋部材の前記内樋部材本体の前記端面板の上縁部には、該内樋部材本体の内側方向に略水平に延設された取付片が形成されており、該取付片と前記繋ぎ部材の繋ぎ部材本体との間が、前記固定手段により固定されており、
前記内樋部材の前記取付片と、前記繋ぎ部材の前記繋ぎ部材本体との間には、防水材が介装されているとともに、
前記固定手段としてリベットが用いられ、前記内樋部材の前記取付片と、前記繋ぎ部材の前記繋ぎ部材本体とは、前記防水材が介装された位置で、前記リベットにより固定されていることを特徴とする内樋の防水構造。
【発明の詳細な説明】
【技術分野】
【０００１】
本発明は、建物の屋根に設けられる内樋の防水構造に関するものである。
【背景技術】
【０００２】
従来から、建物の屋根に軒樋として、内樋を設けることがなされている（特許文献１等を参照）。
【０００３】
このように、建物の屋根に軒樋として内樋を設けると、この内樋は建物の外部から隠れるので、意匠的美観を呈することとなる。
【先行技術文献】
【特許文献】
【０００４】
【特許文献１】特開２０００−３８８１３号公報
【発明の概要】
【発明が解決しようとする課題】
【０００５】
しかしながら、建物の屋根に内樋を設ける場合、雨仕舞いを十分に注意して施工しなければならない。
【０００６】
例えば、特許文献１に開示された従来技術では、内樋の下部に二次樋を設けて対処している。
【０００７】
一方で、この内樋を構成する内樋部材は、加工上や運搬上などの問題により、通常、所定の長さのものしか使用できず、必要な長さにするには、繋ぎ処理を行って、その必要な長さに調整しなければならなかった。
【０００８】
このため、内樋部材間の繋ぎ部を十分な雨仕舞いとするには、煩雑な繋ぎ処理を行わなければならなかった。
【０００９】
そこで、本発明は、簡易な繋ぎ処理で実施することができる内樋の防水構造を提供することを目的としている。
【課題を解決するための手段】
【００１０】
前記目的を達成するために、本発明の内樋の防水構造は、建物の屋根に設ける複数の内樋部材を繋いで成る内樋の防水構造であって、前記複数の内樋部材は容器状の内樋部材本体と取付板とを有し、該取付板により屋根下地材に取り付けられており、隣り合う前記内樋部材の端部間は、前記内樋部材本体の端面板同士を上から覆う繋ぎ部材本体と、前記取付板同士を上から覆う繋ぎ取付板とが一体化された繋ぎ部材によって上から覆われているとともに、固定手段により固定され、繋がれていることを特徴とする。
【００１１】
ここで、前記内樋部材の前記内樋部材本体の前記端面板の上縁部には、該内樋部材本体の内側方向に略水平に延設された取付片が形成されており、該取付片と前記繋ぎ部材の繋ぎ部材本体との間が、前記固定手段により固定されているとよい。
【００１２】
また、前記内樋部材の前記取付片と、前記繋ぎ部材の前記繋ぎ部材本体との間には、防水材が介装されているとよい。
【００１３】
また、前記固定手段としてリベットが用いられ、前記内樋部材の前記取付片と、前記繋ぎ部材の前記繋ぎ部材本体とは、前記防水材の近傍で、前記リベットにより固定されていてもよい。
【００１４】
さらに、前記固定手段としてリベットが用いられ、前記内樋部材の前記取付片と、前記繋ぎ部材の前記繋ぎ部材本体とは、前記防水材が介装された位置で、前記リベットにより固定されていてもよい。
【発明の効果】
【００１５】
このような本発明の内樋の防水構造は、建物の屋根に設ける複数の内樋部材を繋いで成る内樋の防水構造である。
【００１６】
そして、複数の内樋部材は容器状の内樋部材本体と取付板とを有し、取付板により屋根下地材に取り付けられている。
【００１７】
そのうえで、隣り合う内樋部材の端部間は、内樋部材本体の端面板同士を上から覆う繋ぎ部材本体と、取付板同士を上から覆う繋ぎ取付板とが一体化された繋ぎ部材によって上から覆われているとともに、固定手段により固定され、繋がれた構成とされている。
【００１８】
こうした構成なので、隣り合う内樋部材の端部間を、繋ぎ部材本体と繋ぎ取付板とが一体化された繋ぎ部材により繋ぐため、内樋部材本体同士だけでなく、取付板同士も一度に覆うことができ、簡易な繋ぎ処理で、十分な雨仕舞いとなる内樋を設けることができる。
【００１９】
ここで、内樋部材の内樋部材本体の端面板の上縁部には、内樋部材本体の内側方向に略水平に延設された取付片が形成されており、取付片と繋ぎ部材の繋ぎ部材本体との間が、固定手段により固定されている場合は、内樋部材を繋ぎ部材で繋ぎ易いうえに、取付片が水返しの役割をし、より十分な雨仕舞いとなる。
【００２０】
また、内樋部材の取付片と、繋ぎ部材の繋ぎ部材本体との間には、防水材が介装されている場合は、防水材の働きにより、内樋部材の端部と繋ぎ部材との間の防水性を簡易に高め、より十分な雨仕舞いとなる。
【００２１】
また、固定手段としてリベットが用いられ、内樋部材の取付片と、繋ぎ部材の繋ぎ部材本体とは、防水材の近傍で、リベットにより固定されている場合は、リベットにより、内樋部材の取付片と繋ぎ部材の繋ぎ部材本体との間で防水材が圧縮されるので、より簡易な繋ぎ処理で、内樋部材の端部と繋ぎ部材との間の防水性を高めることができる。
【００２２】
さらに、固定手段としてリベットが用いられ、内樋部材の取付片と、繋ぎ部材の繋ぎ部材本体とは、防水材が介装された位置で、リベットにより固定されている場合は、リベットにより、内樋部材の取付片と繋ぎ部材の繋ぎ部材本体との間で防水材が圧縮されるとともに、リベットが防水材内に有るので、より簡易な繋ぎ処理で、内樋部材の端部と繋ぎ部材との間の防水性をより高めることができる。
【図面の簡単な説明】
【００２３】
【図１】実施例１の内樋の防水構造を備えた建物の概略構成を示す平面図である。
【図２】図１におけるＡ部を拡大して示す部分拡大斜視図である。
【図３】実施例１の内樋の防水構造の施工段階を示す説明図である。
【図４】実施例１の内樋の防水構造の施工段階を示す説明図である。
【図５】実施例２の内樋の防水構造の概略構成を示す部分拡大斜視図である。
【発明を実施するための形態】
【００２４】
以下、本発明を実施するための形態を、図面に示す実施例１，２に基づいて説明する。
【実施例１】
【００２５】
先ず、実施例１の構成について説明する。
【００２６】
図１は、実施例１の内樋の防水構造を備えた建物１の概略構成を示している。
【００２７】
まず、このような建物１の屋根２には、その軒側に、内樋３が設けられている。
【００２８】
そして、内樋３の両端部には、縦樋４がそれぞれ連通して設けられており、縦樋４の下部は、図示省略の下水道と連通している。
【００２９】
この内樋３は、図２に示したように、２つの内樋部材３０，３０が、繋ぎ部材３１によって繋がれて成る。
【００３０】
まず、この内樋部材３０は、図３に示したように、箱形容器状の内樋部材本体３０Ａを主体部として、長手方向の一方の側面板３０ｂの略上縁部から外側方向に向けて屋根下地材２０の勾配に合わせた取付板３０ａが設けられているとともに、内側方向に向けて略水平な水返し板３０ｃが設けられている。
【００３１】
ここで、取付板３０ａの内樋部材本体３０Ａと接続される付根部分には、溝部３０ｄが形成されており、この溝部３０ｄ内には、防水材４１が貼設されている。
【００３２】
また、溝部３０ｄには、リベット止め用の孔６６が設けられている。
【００３３】
さらに、取付板３０ａの内樋部材本体３０Ａと接続される付根部分の内隅部には、繋ぎ部材３１を嵌め込む嵌合部３０ｉが形成されている。
【００３４】
ここで、この嵌合部３０ｉの表面には、両面接着テープ５１が貼設されている。
【００３５】
また、この嵌合部３０ｉには、リベット止め用の孔６５が設けられている。
【００３６】
さらに、水返し板３０ｃの短辺側の端部近傍には、リベット止め用の孔６２が設けられている。
【００３７】
また、内樋部材３０は、二点鎖線で示した長手方向の他方の側面板３０ｅの上縁部から外側方向に向けて略水平な化粧材支持板３０ｆが設けられている。
【００３８】
さらに、内樋部材３０の内側端部の端面板３０ｇの上縁部から内側方向に向けて略水平な取付片３０ｈが設けられている。
【００３９】
ここで、取付片３０ｈの端面板３０ｇと接続される付根部分には溝部が設けられており、この溝部内には、防水材４２が貼設されている。
【００４０】
また、取付片３０ｈの防水材４２が貼設されていない略水平な箇所には、リベット止め用の孔６１が設けられている。
【００４１】
他方で、この繋ぎ部材３１は、図３に示したように、溝形状の繋ぎ部材本体３１Ａを主体部として、高さの低い側の側面板３１ｂの略上縁部から外側方向に向けて屋根下地材２０の勾配に合わせた繋ぎ取付板３１ａが設けられているとともに、内側方向に向けて略水平な水返し板３１ｃが設けられている。
【００４２】
ここで、繋ぎ取付板３１ａの繋ぎ部材本体３１Ａと接続される付根部分には、溝部３１ｄが形成されており、この溝部３１ｄ内には、防水材４３が貼設されている。
【００４３】
また、水返し板３１ｃの短辺側の端部近傍には、リベット止め用の孔６３が設けられている。
【００４４】
さらに、繋ぎ部材３１は、二点鎖線で示した高さの高い側の側面板３１ｅの上縁部から外側方向に向けて略水平な化粧材支持板３１ｆが設けられている。
【００４５】
また、繋ぎ部材本体３１Ａの底面板３１ｇの角隅部近傍には、リベット止め用の孔６４が設けられている。
【００４６】
さらに、底面板３１ｇの側面板３１ｂ，３１ｅが設けられていない端縁から垂下する水返し板３１ｈがそれぞれ設けられている。
【００４７】
また、底面板３１ｇの裏面には、内樋部材３０の取付片３０ｈに設けられた防水材４２に対応する位置に両面接着テープ５２が貼設されている。
【００４８】
ここで、両面接着テープ５２の表面は、施工前には、ハクリ紙５２ａで被覆され、接着性が保たれている。
【００４９】
なお、この実施例１の内樋の防水構造では、内樋３の下側には、さらに二次樋８が設けられ、より厳重な防水性が図られている。
【００５０】
次に、この実施例１の内樋の防水構造の詳細を示すために、その施工方法について説明する。
【００５１】
まず、建物１を構築する際に、図３に示したように、図示省略の野縁に屋根下地材２０を貼設した後、内樋部材３０，３０を、この屋根下地材２０の軒先側に、取付板３０ａを接着剤でそれぞれ貼り付けて取り付ける。
【００５２】
次に、ハクリ紙５２ａを剥した繋ぎ部材３１により、内樋部材３０，３０の取付片３０ｈ，３０ｈを上から覆った後、図示省略のリベット打ち機によりリベット止め用の孔６１，６２，６３，６４，６５，６６へ固定手段としてのリベット７，・・・を打ち込むと、図４に示したように、内樋部材３０，３０が繋ぎ部材３１で繋がれた状態となる。
【００５３】
そして、屋根下地材２０の上面に屋根仕上材２１を貼設し、化粧材支持板３０ｆ，３１ｆの外側端部に図示省略の化粧材を固定して取り付けると、図２に示したように、実施例１の内樋の防水構造を備えた建物１が仕上がる。
【００５４】
次に、実施例１の作用効果について説明する。
【００５５】
このような実施例１の内樋の防水構造は、建物１の屋根２に設ける複数の内樋部材３０を繋いで成る内樋３の防水構造である。
【００５６】
そして、複数の内樋部材３０は箱形容器状の内樋部材本体３０Ａと取付板３０ａとを有し、取付板３０ａにより屋根下地材２０に取り付けられている。
【００５７】
そのうえで、隣り合う内樋部材３０，３０の端部間は、内樋部材本体３０Ａ，３０Ａの端面板３０ｇ，３０ｇ同士を上から覆う繋ぎ部材本体３１Ａと、取付板３０ａ，３０ａ同士を上から覆う繋ぎ取付板３１ａとが一体化された繋ぎ部材３１によって上から覆われているとともに、固定手段としてのリベット７，・・・により固定され、繋がれた構成とされている。
【００５８】
こうした構成なので、隣り合う内樋部材３０，３０の端部間を、繋ぎ部材本体３１Ａと繋ぎ取付板３１ａとが一体化された繋ぎ部材３１により繋ぐため、内樋部材本体３０Ａ，３０Ａ同士だけでなく、取付板３０ａ，３０ａ同士も一度に覆うことができ、簡易な繋ぎ処理で、十分な雨仕舞いとなる内樋３を設けることができる。
【００５９】
ここで、内樋部材３０の端面板３０ｇの上縁部には、内樋部材本体３０Ａの内側方向に略水平に延設された取付片３０ｈが形成されており、取付片３０ｈと繋ぎ部材３１の繋ぎ部材本体３１Ａとの間が、固定手段としてのリベット７，・・・により固定されている。
【００６０】
このため、内樋部材３０，３０を繋ぎ部材３１で繋ぎ易いうえに、取付片３０ｈが水返しの役割をし、より十分な雨仕舞いとなる。
【００６１】
また、内樋部材３０の取付片３０ｈと、繋ぎ部材３１の繋ぎ部材本体３１Ａの底面板３１ｇとの間には、防水材４２が介装されている。
【００６２】
このため、防水材４２の働きにより、内樋部材３０の端部と繋ぎ部材３１との間の防水性を簡易に高め、より十分な雨仕舞いとなる。
【００６３】
また、固定手段としてリベット７，・・・が用いられ、内樋部材３０の取付片３０ｈと、繋ぎ部材３１の繋ぎ部材本体３１Ａの底面板３１ｇとは、防水材４２の近傍で、リベット７，・・・により固定されている。
【００６４】
このため、リベット打ち機で容易に打ち込み可能なリベット７，・・・により、内樋部材３０の取付片３０ｈと繋ぎ部材３１の繋ぎ部材本体３１Ａの底面板３１ｇとの間で防水材４２が圧縮されるので、より簡易な繋ぎ処理で、内樋部材３０の端部と繋ぎ部材３１との間の防水性を高めることができる。
【実施例２】
【００６５】
次に、実施例２について説明する。
【００６６】
なお、実施例１で説明した内容と同一乃至均等な部分の説明については同一符号を付して説明する。
【００６７】
図５は、実施例２の内樋の防水構造の概略構成を示している。
【００６８】
この実施例２の内樋の防水構造では、内樋部材３０の取付片３０ｈと、繋ぎ部材３１の繋ぎ部材本体３１Ａの底面板３１ｇとは、防水材４２が介装された位置で、リベット７，・・・により固定されている。
【００６９】
このため、リベット７，・・・により、内樋部材３０の取付片３０ｈと繋ぎ部材３１の繋ぎ部材本体３１Ａの底面板３１ｇとの間で防水材４２が圧縮されるとともに、リベット７，・・・が防水材４２内に有るので、より簡易な繋ぎ処理で、内樋部材３０の端部と繋ぎ部材３１との間の防水性をより高めることができることが実施例１の内樋の防水構造と主に異なる。
【００７０】
なお、他の構成及び作用効果については、実施例１と略同様であるので説明を省略する。
【００７１】
以上、図面を参照して、本発明を実施するための形態を実施例１，２に基づいて詳述してきたが、具体的な構成は、これらの実施例１，２に限らず、本発明の要旨を逸脱しない程度の設計的変更は、本発明に含まれる。
【００７２】
例えば、上記した実施例１，２では、傾斜屋根の建物１について実施したが、これに限定されず、陸屋根の建物などに実施してもよい。
【００７３】
また、上記した実施例１，２では、内樋部材３０として、箱形容器状のものを用いて実施したが、これに限定されず、例えば、半円筒形容器状のものなどを用いて実施してもよい。
【００７４】
さらに、上記した実施例１，２では、固定手段として、リベット７，・・・を用いて実施したが、これに限定されず、例えば、ボルト及びナットなどを用いて実施してもよい。
【符号の説明】
【００７５】
１      建物
２      屋根
２０    屋根下地材
２１    屋根仕上材
３      内樋
３０ｃ  水返し板
３０Ａ  内樋部材本体
３０ａ  取付板
３０ｂ  側面板
３０ｃ  水切り板
３０ｄ  溝部
３０ｅ  側面板
３０ｆ  化粧材支持板
３０ｇ  端面板
３０ｈ  取付片
３０ｉ  嵌合部
３１    繋ぎ部材
３１Ａ  繋ぎ部材本体
３１ａ  繋ぎ取付板
３１ｂ  側面板
３１ｃ  水返し板
３１ｄ  溝部
３１ｅ  側面板
３１ｆ  化粧材支持板
３１ｇ  底面板
３１ｈ  水返し板
４      縦樋
４１    防水材
４２    防水材
４３    防水材
５１    両面接着テープ
５２    両面接着テープ
５２ａ  ハクリ紙
６１    リベット止め用の孔
６２    リベット止め用の孔
６３    リベット止め用の孔
６４    リベット止め用の孔
６５    リベット止め用の孔
６６    リベット止め用の孔
７      リベット（固定手段）
８      二次樋
【図１】
0005503414.tif 000002
【図２】
0005503414.tif 000003
【図３】
0005503414.tif 000004
【図４】
0005503414.tif 000005
【図５】
0005503414.tif 000006